(57)【要約】【課題】無線ＬＡＮ端末が無線ＬＡＮアクセスポイントから遠ざかるなどした場合に、同じ無線ＬＡＮアクセスポイントと通信を行っている他無線ＬＡＮ端末の通信品質を保証する。【解決手段】複数の無線ＬＡＮアクセスポイント１−１，１−２と複数の無線ＬＡＮ端末２−１，２−２，２−３とを有する無線ＬＡＮシステムであって、無線ＬＡＮアクセスポイント１−１は、自アクセスポイントの無線通信トラフィックに応じて、自アクセスポイントを介して通信を行う無線ＬＡＮ端末２−１，２−２，２−３に対して、少なくとも無線伝送速度の無線パラメータ設定指示を通知し、無線ＬＡＮ端末２−１，２−２，２−３は、無線ＬＡＮアクセスポイント１−１からの無線パラメータ設定指示に従い、無線ＬＡＮ端末２−１，２−２，２−３の無線パラメータを設定することを特徴とする。【選択図】図１
2007288550.tif 000002
【特許請求の範囲】
【請求項１】
無線ＬＡＮアクセスポイントと複数の無線ＬＡＮ端末とを有する無線ＬＡＮシステムであって、前記無線ＬＡＮアクセスポイントは、自アクセスポイントを介して通信を行う無線ＬＡＮ端末に対して、少なくとも無線伝送速度の指定を含む無線パラメータ設定指示を通知する無線パラメータ設定指示手段を有し、前記無線ＬＡＮ端末は、前記無線ＬＡＮアクセスポイントからの前記無線パラメータ設定指示に従い、前記無線ＬＡＮ端末の無線パラメータ設定を行う無線パラメータ設定手段を有し、前記無線ＬＡＮアクセスポイントの無線トラフィックが予め定められた値を超え、かつ特定の前記無線ＬＡＮ端末からの電波強度が所定の値より低下する状態にある場合、もしくは、通信エラーが所定の値を超えた場合に、前記無線ＬＡＮアクセスポイントは前記無線ＬＡＮ端末に対して、無線伝送速度の自動変更を禁止して所定の無線伝送速度に固定する無線パラメータ設定指示を通知し、前記無線ＬＡＮ端末は、前記無線ＬＡＮアクセスポイントからの前記無線パラメータ設定指示に従い、前記無線ＬＡＮ端末の無線パラメータ変更設定を行うことを特徴とする無線ＬＡＮシステム。
【請求項２】
請求項１記載の無線ＬＡＮシステムにおいて、前記無線ＬＡＮアクセスポイントは前記無線ＬＡＮ端末に対して、前記無線パラメータ設定指示を通知する際に、パケット再送回数を制限する指示を付加し、前記無線ＬＡＮ端末は、前記無線ＬＡＮアクセスポイントからの前記無線パラメータ設定指示に従って、パケット再送回数を制限することを特徴とする無線ＬＡＮシステム。
【請求項３】
複数の無線アクセスポイントと複数の無線ＬＡＮ端末とを有する無線ＬＡＮシステムであって、前記無線ＬＡＮアクセスポイント及び前記無線ＬＡＮ端末は受信電波の品質によらず無線ＬＡＮ端末の無線伝送速度を固定すると共に、固定する無線速度に応じて前記無線ＬＡＮ端末のハンドオーバを開始する受信電波強度を変更する機能を有し、前記無線ＬＡＮアクセスポイントの無線トラフィックが予め定められた値を超えた時、前記無線ＬＡＮアクセスポイントは、前記無線ＬＡＮ端末に、前記ハンドオーバを開始する受信電波強度を高い値に変更する指示を通知することを特徴とする無線ＬＡＮシステム。
【発明の詳細な説明】
【技術分野】
【０００１】
本発明は、無線ＬＡＮアクセスポイントと複数の無線ＬＡＮ端末とを有する無線ＬＡＮシステムに関する。
【背景技術】
【０００２】
一般的な無線ＬＡＮ電話システムでは、一つの無線ＬＡＮアクセスポイントに、複数の無線ＬＡＮ電話端末が帰属して通信を行っている状態で、その内の１つないし複数の無線ＬＡＮ電話端末が無線ＬＡＮアクセスポイントから遠ざかるなどにより、受信電波の品質が低下し通信品質に影響を及ぼす危険性があるので、１つないし複数の無線ＬＡＮ電話端末が受信電波の強度を測定し受信電波が弱くなった場合、無線伝送速度を自動的に下げることで通信品質を保つ機能を有している。
【０００３】
なお、通話中にパケットロスが多発した際に、送信データ量を制御し通信品質を保たせる技術が、例えば特許文献１に記載されている。
【０００４】
【特許文献１】特開２００５−２６０６４９号公報
【発明の開示】
【発明が解決しようとする課題】
【０００５】
この場合、一つないし複数の無線ＬＡＮ端末の伝送速度が低下することにより、その無線ＬＡＮ電話端末の無線ＬＡＮトラフィック上の帯域占有率が増加することで、高い伝送速度で安定的に通信している他の無線ＬＡＮ端末の使用帯域にも影響を及ぼし、通信品質を劣化させてしまう場合がある。又、無線の伝送速度を固定して使用する場合においては、固定された伝送速度では通信品質を維持できない程電波強度が低下した場合に、リトライパケットが増加するため、他の安定的に通信を行っている無線ＬＡＮ電話端末に影響を及ぼす。
【０００６】
また特許文献１では１台の通信品質は保てるが、低速で接続されている無線ＬＡＮ電話端末が多いと接続可能台数が制限され、またビットレート変更により送信データ量を減らしてもパケットロス検出による再送回数が多ければ、結果的に他無線ＬＡＮ電話端末の伝送にも影響を与えてしまう。
【０００７】
本発明の目的は、無線ＬＡＮ端末が無線ＬＡＮアクセスポイントから遠ざかるなどした場合に、同じ無線ＬＡＮアクセスポイントと通信を行っている他無線ＬＡＮ端末の通信品質を保証することが可能な無線ＬＡＮシステムを提供することにある。
【課題を解決するための手段】
【０００８】
第１の発明は、無線ＬＡＮアクセスポイントと複数の無線ＬＡＮ端末とを有する無線ＬＡＮシステムであって、前記無線ＬＡＮアクセスポイントは、自アクセスポイントを介して通信を行う無線ＬＡＮ端末に対して、少なくとも無線伝送速度の指定を含む無線パラメータ設定指示を通知する無線パラメータ設定指示手段を有し、前記無線ＬＡＮ端末は、前記無線ＬＡＮアクセスポイントからの前記無線パラメータ設定指示に従い、前記無線ＬＡＮ端末の無線パラメータ設定を行う無線パラメータ設定手段を有し、前記無線ＬＡＮアクセスポイントの無線トラフィックが予め定められた値を超え、かつ特定の前記無線ＬＡＮ端末からの電波強度が所定の値より低下する状態にある場合、もしくは、通信エラーが所定の値を超えた場合に、前記無線ＬＡＮアクセスポイントは前記無線ＬＡＮ端末に対して、無線伝送速度の自動変更を禁止して所定の無線伝送速度に固定する無線パラメータ設定指示を通知し、前記無線ＬＡＮ端末は、前記無線ＬＡＮアクセスポイントからの前記無線パラメータ設定指示に従い、前記無線ＬＡＮ端末の無線パラメータ変更設定を行うことを特徴とする。
【発明の効果】
【０００９】
本発明によれば、無線ＬＡＮ端末が無線ＬＡＮアクセスポイントから遠ざかるなどした場合に、同じ無線ＬＡＮアクセスポイントと通信を行っている他無線ＬＡＮ端末の通信品質を保証することが可能な無線ＬＡＮシステムを得ることができる。
【発明を実施するための最良の形態】
【００１０】
図１は、本発明による無線ＬＡＮシステムの実施の形態の構成を示す図である。
【００１１】
図１において、無線ＬＡＮアクセスポイント１−１，１−２はネットワーク３のＬＡＮ３Ａを介して接続されている。無線ＬＡＮ電話端末２−１は無線ＬＡＮアクセスポイント１−１の１Ｍｂｐｓ通信エリア圏内に有り、無線ＬＡＮアクセスポイント１−１と例えば２Ｍｂｐｓで通信中である。無線ＬＡＮ電話端末２−２は無線ＬＡＮアクセスポイント１−１の２Ｍｂｐｓ通信エリア圏内に有り、無線ＬＡＮアクセスポイント１−１と例えば２Ｍｂｐｓで通信中である。無線ＬＡＮ電話端末２−３は無線ＬＡＮアクセスポイント１−１の１Ｍｂｐｓ通信エリア圏内に有り、無線ＬＡＮアクセスポイント１−１と例えば２Ｍｂｐｓで通信中であり、また、無線ＬＡＮアクセスポイント１−２の２Ｍｂｐｓ通信エリア圏内に有る。
【００１２】
図２は、図１における本発明による無線ＬＡＮアクセスポイント１−１，１−２の機能ブロックを示す図である。
【００１３】
ＬＡＮインタフェース部４−１は、ＬＡＮパケットの送受信を行うインタフェースである。
【００１４】
パケットブリッジ制御部４−２は、ＬＡＮインタフェース部４−１からのパケットを受信し、自無線ＬＡＮアクセスポイントに収容した無線ＬＡＮ電話端末宛であれば無線通信制御部４−４へと送信し、また、無線通信制御部４−４からのパケットを受信し自無線ＬＡＮアクセスポイントに収容した無線ＬＡＮ電話端末宛であれば、無線通信制御部４−４へとパケットを折り返す、そうでなければＬＡＮインタフェース部４−１へパケットを送信する機能を有する。
【００１５】
パケットバッファ部４−３は、パケットブリッジ制御部４−２のパケット一時保存バッファである。
【００１６】
無線通信制御部４−４は、無線ＬＡＮ電話端末との接続・切断制御等を行い、また、無線状態判定部４−５からの指示で、接続している無線ＬＡＮ電話端末へ、無線伝送速度、パケット再送回数、ハンドオーバ開始を判断する受信電波強度等の無線パラメータの設定などを通知するパケットを送信する機能を有する。
【００１７】
無線状態判定部４−５は、無線状態監視部４−７より無線通信の伝送誤り発生率やパケット再送発生回数などの情報を受けとり、その値とあらかじめ定めれられたしきい値とを比較し、しきい値以上であると判定したならば、無線ＬＡＮ電話端末へ、無線伝送速度、パケット再送回数、ハンドオーバ開始を判断する受信電波強度等の無線パラメータの設定などを変更する通知を行うよう無線通信制御部４−４へ指示する機能を有する。
【００１８】
無線端末管理部４−６は、自身が収容している無線ＬＡＮ電話端末の情報を格納する。
【００１９】
無線状態監視部４−７は、無線ＬＡＮ電話端末からの電波強度および無線ネットワークを介して送受信されるパケットを監視し、一定時間毎に各無線ＬＡＮ電話端末と送受信された総パケット数と誤りパケット数およびパケット再送実行回数を測定し、その発生率を無線状態判定部４−５へ情報を通知する機能を有する。また、同様に一定時間毎の無線通信トラフィック量を監視し自無線ＬＡＮアクセスポイントの持つ伝送容量以内かどうかを判定し、自無線ＬＡＮアクセスポイントの伝送容量を越えていた場合、無線状態判定部４−５へとその旨を通知する。
【００２０】
無線インタフェース部４−８は、無線パケットの送受信を行うインタフェースである。
【００２１】
図３は、図１における本発明による無線ＬＡＮ電話端末２−１〜２−３の機能ブロックを示す図である。
【００２２】
無線インタフェース部５−１は、無線パケットの送受信を行うインタフェースである。
【００２３】
無線通信制御部５−２は、無線ＬＡＮアクセスポイントとの接続・切断制御等を行い、また、無線ＬＡＮアクセスポイントからの状態変更指示を無線通信管理部５−３へと通知し、無線通信管理部５−３からの無線パラメータ設定変更指示に従って無線通信の各種設定を変更する機能を有する。
【００２４】
無線状態管理部５−３は、無線ＬＡＮアクセスポイントからの状態変更指示に基づき無線通信制御部５−２へ、無線伝送速度、パケット再送回数、ハンドオーバ開始を判断する受信電波強度等の無線パラメータの設定を変更するよう指示する機能を有する。
【００２５】
パケットバッファ部５−４は、無線インタフェース部５−１にて送受信されるパケットの一時保存バッファである。
【００２６】
図４は、図２の本発明による無線ＬＡＮアクセスポイント１−１〜１−２の動作フローチャートの一例を示す図である。
【００２７】
無線ＬＡＮアクセスポイントは、無線ＬＡＮ電話端末から新規帰属要求があったかを判断し（Ｓ４０１）、Ｙｅｓの場合帰属処理を行い（Ｓ４０２）、それから無線伝送速度の無線パラメータ設定指示通知を行う（Ｓ４０３）。
【００２８】
上記Ｓ４０１でＮｏの場合、無線ＬＡＮアクセスポイントは、無線ＬＡＮ電話端末毎に無線トラフィックを検出し、総無線トラフィック量が無線ＬＡＮアクセスポイントの持つ伝送容量であるしきい値をオーバしたかを判定する（Ｓ４０４）。
【００２９】
しきい値をオーバの場合は、各無線ＬＡＮ電話端末のうち受信電波強度や伝送誤り・パケット再送回数が一定数を超えた無線ＬＡＮ電話端末向けに、ハンドオーバ開始を判断する受信電波強度のしきい値やパケット再送最大回数、送信出力の変更を通知する状態変更指示通知を行う（Ｓ４０５）。
【００３０】
また、図示していないが、その無線ＬＡＮ電話端末の伝送誤りやパケット再送回数が、さらに増加したことを検出したなら、その無線ＬＡＮ電話端末へ切断指示を通知し、無線通信を切断する。
【００３１】
図５は、図２の本発明による無線ＬＡＮ電話端末２−１〜２−３の動作フローチャートの一例を示す図である。
【００３２】
無線ＬＡＮ電話端末は、無線ＬＡＮアクセスポイントから切断通知の受信があったかを判断し（Ｓ５０１）、Ｙｅｓの場合無線通信切断処理を行い（Ｓ５０２）、その後、無線通信切断を、ユーザに対して、音声や表示によって通知する（Ｓ５０３）。
【００３３】
上記Ｓ５０１でＮｏの場合、無線ＬＡＮ電話端末は、無線ＬＡＮアクセスポイントから状態変更指示の通知があったかを判断する（Ｓ５０４）。
【００３４】
Ｙｅｓの場合は、状態変更指示の通知に従って、無線伝送速度、パケット再送回数、ハンドオーバ開始を判断する受信電波強度等の無線パラメータ変更設定処理を行い（Ｓ５０５）、その後、通信エリア圏の変更を、ユーザに対して、音声や表示によって通知する（Ｓ５０６）。
【００３５】
図６は、図１の本発明による無線ＬＡＮシステムの動作シーケンスの一例を示す図である。図１における無線ＬＡＮ電話端末２−１が、当初無線ＬＡＮアクセスポイント１−１の２Ｍｂｐｓ通信エリア圏内に有って、無線ＬＡＮアクセスポイント１−１と２Ｍｂｐｓで通信中であったが、２Ｍｂｐｓ通信エリア圏外かつ１Ｍｂｐｓ通信エリア圏内に移動する場合及び１Ｍｂｐｓ通信エリア圏内から通信エリア圏外に移動する場合の動作シーケンスの一例を示す図である。
【００３６】
無線ＬＡＮ電話端末２−１が２Ｍｂｐｓ通信エリア圏内から２Ｍｂｐｓ通信エリア圏外かつ１Ｍｂｐｓ通信エリア圏内に移動する（Ｓ６０１）。
【００３７】
無線ＬＡＮアクセスポイント１−１は無線ＬＡＮ電話端末２−１との無線通信でパケット再送の発生などによる無線トラフィック量の増加を検出し（Ｓ６０２）、無線ＬＡＮ電話端末２−１に対して、少なくとも無線伝送速度の無線パラメータ設定を変更する状態変更指示通知を行う（Ｓ６０３）。
【００３８】
無線ＬＡＮ電話端末２−１は、状態変更指示通知を受信して、状態変更指示通知に従い、無線ＬＡＮ電話端末２−１の無線パラメータ設定変更処理を行い（Ｓ６０４）、その後、通信エリア圏の変更を、ユーザに対して、音声や表示によって通知する（Ｓ６０５）。
【００３９】
無線ＬＡＮ電話端末２−１が、１Ｍｂｐｓ通信エリア圏内から通信エリア圏外へと移動する（Ｓ６０６）。このことで、無線ＬＡＮアクセスポイント１−１は無線ＬＡＮ電話端末２−１との無線通信で無線伝送誤り量の増加を検出し（Ｓ６０７）、無線ＬＡＮ電話端末２−１に対して、切断指示通知を行い（Ｓ６０８）、無線通信の切断処理を行う（Ｓ６０９）。
【００４０】
無線ＬＡＮ電話端末２−１は、無線ＬＡＮアクセスポイント１−１からの指示により無線通信の切断処理を行うと、無線通信の圏外であることにより切断されたことを、ユーザに対して、音声や表示によって通知する（Ｓ６１０）。
なお、上記における通信エリア圏変更通知や切断通知は、必ず必要なものではない。
【００４１】
図７は、図１の本発明による無線ＬＡＮシステムの動作シーケンスの他の一例を示す図である。図１において、無線ＬＡＮアクセスポイント１−１，１−２及び無線ＬＡＮ端末２−１〜２−３は受信電波の通信品質に応じて無線伝送速度を自動的に変更する機能を有する場合であり、図１における無線ＬＡＮ電話端末２−１が、当初無線ＬＡＮアクセスポイント１−１の２Ｍｂｐｓ通信エリア圏内に有って、無線ＬＡＮアクセスポイント１−１と２Ｍｂｐｓで通信中であったが、２Ｍｂｐｓ通信エリア圏外かつ１Ｍｂｐｓ通信エリア圏内に移動する場合及び１Ｍｂｐｓ通信エリア圏内から通信エリア圏外に移動する場合の動作シーケンスの一例を示す図である。
【００４２】
無線ＬＡＮ電話端末２−１が２Ｍｂｐｓ通信エリア圏内から２Ｍｂｐｓ通信エリア圏外かつ１Ｍｂｐｓ通信エリア圏内に移動する（Ｓ７０１）。このことで、無線ＬＡＮ電話端末２−１は、無線伝送速度を１Ｍｂｐｓ通信エリア圏内に対応した１Ｍｂｐｓに自動的に変更する（Ｓ７０２）。
【００４３】
無線ＬＡＮアクセスポイント１−１は、無線ＬＡＮ電話端末２−１との無線通信でパケット再送の発生などによる無線トラフィック量が一定の値を超えたことを検出し（Ｓ７０３）、次に、無線ＬＡＮ端末２−１の無線伝送速度が所定の速度より低下する状態となったことを検出する（Ｓ７０４）。すると、無線ＬＡＮ電話端末２−１に対して、無線伝送速度の自動変更を解除して所定の無線伝送速度に固定するとともにパケット再送回数を制限する状態変更指示通知を行う（Ｓ７０５）。
【００４４】
無線ＬＡＮ電話端末２−１は、状態変更指示通知を受信して、状態変更指示に従い、無線ＬＡＮ電話端末２−１の無線パラメータ設定変更とともにパケット再送回数を制限する設定変更処理を行い（Ｓ７０６）、その後、通信エリア圏の変更を、ユーザに対して、音声や表示によって通知する（Ｓ７０７）。
【００４５】
無線ＬＡＮ電話端末２−１が、１Ｍｂｐｓ通信エリア圏内から通信エリア圏外へと移動する（Ｓ７０８）。このことで、無線ＬＡＮアクセスポイント１−１は無線ＬＡＮ電話端末２−１との無線通信で無線伝送誤り量の増加を検出し（Ｓ７０９）、無線ＬＡＮ電話端末２−１に対して、切断指示通知を行い（Ｓ７１０）、無線通信の切断処理を行う（Ｓ７１１）。
【００４６】
無線ＬＡＮ電話端末２−１は、無線ＬＡＮアクセスポイント１−１からの指示により無線通信の切断処理を行うと、無線通信の圏外であることにより切断されたことを、ユーザに対して、音声や表示によって通知する（Ｓ７１２）。
なお、上記における通信エリア圏変更通知や切断通知は、必ず必要なものではない。
【００４７】
図８は、図１の本発明による無線ＬＡＮシステムの動作シーケンスのさらに他の一例を示す図である。図１において、無線ＬＡＮアクセスポイント１−１，１−２及び無線ＬＡＮ端末２−１〜２−３は受信電波の品質によらず無線伝送速度を固定する機能を有する場合であり、図１における無線ＬＡＮ電話端末２−１が、当初無線ＬＡＮアクセスポイント１−１の２Ｍｂｐｓ通信エリア圏内に有って、無線ＬＡＮアクセスポイント１−１と２Ｍｂｐｓで通信中であったが、２Ｍｂｐｓ通信エリア圏外かつ１Ｍｂｐｓ通信エリア圏内に移動する場合及び１Ｍｂｐｓ通信エリア圏内から通信エリア圏外に移動する場合の動作シーケンスの一例を示す図である。
【００４８】
無線ＬＡＮアクセスポイント１−１が無線ＬＡＮ電話端末２−１に対し固定する無線伝送速度指示通知を行う（Ｓ８０１）。無線ＬＡＮ電話端末２−１は、固定する無線伝送速度指示通知を受信して、固定する無線伝送速度指示に従い、無線ＬＡＮ電話端末２−１の無線伝送速度を固定する（Ｓ８０２）。
【００４９】
無線ＬＡＮ電話端末２−１が２Ｍｂｐｓ通信エリア圏内から２Ｍｂｐｓ通信エリア圏外かつ１Ｍｂｐｓ通信エリア圏内に移動する（Ｓ８０３）。
【００５０】
無線ＬＡＮアクセスポイント１−１は、無線ＬＡＮ電話端末２−１との無線通信でパケット再送回数の増加などによる無線トラフィック量が一定の値を超えたことを検出し（Ｓ８０４）、次に、無線ＬＡＮ端末２−１からの電波強度が所定の値より低下する状態となったことを検出する（Ｓ８０５）。もしくは、通信エラーが所定の値を超えたことを検出する（Ｓ８０６）。
【００５１】
すると、無線ＬＡＮ電話端末２−１に対して、パケット再送回数を制限する状態変更指示通知を行う（Ｓ８０７）。
【００５２】
無線ＬＡＮ電話端末２−１は、状態変更指示通知を受信して、状態変更指示に従い、無線ＬＡＮ電話端末２−１のパケット再送回数を制限する設定変更処理を行い（Ｓ８０８）、その後、通信エリア圏の変更を、ユーザに対して、音声や表示によって通知する（Ｓ８０９）。
【００５３】
無線ＬＡＮ電話端末２−１が、１Ｍｂｐｓ通信エリア圏から通信エリア圏外へと移動する（Ｓ８１０）。このことで、無線ＬＡＮアクセスポイント１−１は無線ＬＡＮ電話端末２−１との無線通信で無線伝送誤り量の増加を検出し（Ｓ８１１）、無線ＬＡＮ電話端末２−１に対して、切断指示通知を行い（Ｓ８１２）、無線通信の切断処理を行う（Ｓ８１３）。
【００５４】
無線ＬＡＮ電話端末２−１は、無線ＬＡＮアクセスポイント１−１からの指示により無線通信の切断処理を行うと、無線通信の圏外であることにより切断されたことを、ユーザに対して、音声や表示によって通知する（Ｓ８１４）。
なお、上記における通信エリア圏変更通知や切断通知は、必ず必要なものではない。
【００５５】
図９は、図１の本発明による無線ＬＡＮシステムの動作シーケンスの別の例を示す図である。図１において、無線ＬＡＮアクセスポイント１−１，１−２及び無線ＬＡＮ端末２−１〜２−３は受信電波の品質によらず無線伝送速度を固定し、固定する無線速度に応じて無線ＬＡＮ端末２−１〜２−３のハンドオーバを開始する受信電波強度を変更する機能を有する場合であり、図１における無線ＬＡＮ電話端末２−３が、当初無線ＬＡＮアクセスポイント１−１の２Ｍｂｐｓ通信エリア圏内に有って、無線ＬＡＮアクセスポイント１−１と２Ｍｂｐｓで通信中であったが、２Ｍｂｐｓ通信エリア圏外かつ無線ＬＡＮアクセスポイント１−２の２Ｍｂｐｓ通信エリア圏内に移動する場合の動作シーケンスの一例を示す図である。
【００５６】
無線ＬＡＮ電話端末２−３が無線ＬＡＮアクセスポイント１−１の２Ｍｂｐｓ通信エリア圏内から２Ｍｂｐｓ通信エリア圏外かつ無線ＬＡＮアクセスポイント１−２の２Ｍｂｐｓ通信エリア圏内に移動する（Ｓ９０１）。
【００５７】
無線ＬＡＮアクセスポイント１−１は無線ＬＡＮ電話端末２−３との無線通信でパケット再送回数の増加などによる無線トラフィック量の増加を検出し（Ｓ９０２）、無線ＬＡＮ電話端末２−３に対して、ハンドオーバ開始を判断する受信電波強度のしきい値を変更する状態変更指示通知を行う（Ｓ９０３）。
【００５８】
無線ＬＡＮ電話端末２−３は、状態変更指示通知を受信して、状態変更指示に従い、無線ＬＡＮ電話端末２−３のハンドオーバ開始を判断する受信電波強度のしきい値を変更する設定変更処理を行い（Ｓ９０４）、その後、通信エリア圏の変更を、ユーザに対して、音声や表示によって通知する（Ｓ９０５）。
【００５９】
次に、無線ＬＡＮ電話端末２−３は、無線ＬＡＮアクセスポイント１−１からの受信電波強度が、変更された受信電波強度のしきい値を超えたことを検出し（Ｓ９０６）、無線ＬＡＮアクセスポイント１−１，１−２に対してハンドオーバ処理を行って、無線ＬＡＮアクセスポイント１−２と２Ｍｂｐｓで通信を開始する。
なお、上記における通信エリア圏変更通知は必ず必要ではない。
【図面の簡単な説明】
【００６０】
【図１】本発明による無線ＬＡＮシステムの実施の形態の構成を示す図である。
【図２】図１における本発明による無線ＬＡＮアクセスポインの機能ブロックを示す図である。
【図３】図１における本発明による無線ＬＡＮ電話端末の機能ブロックを示す図である。
【図４】図２の本発明による無線ＬＡＮアクセスポイントの動作フローチャートの一例を示す図である。
【図５】図２の本発明による無線ＬＡＮ電話端末の動作フローチャートの一例を示す図である。
【図６】図１の本発明による無線ＬＡＮシステムの動作シーケンスの一例を示す図である。
【図７】図１の本発明による無線ＬＡＮシステムの動作シーケンスの他の一例を示す図である。
【図８】図１の本発明による無線ＬＡＮシステムの動作シーケンスのさらに他の一例を示す図である。
【図９】図１の本発明による無線ＬＡＮシステムの動作シーケンスの別の例を示す図である。
【符号の説明】
【００６１】
１−１，１−２：無線ＬＡＮアクセスポイント、２−１，２−２，２−３：無線ＬＡＮ電話端末、３：有線ネットワーク、３Ａ：ＬＡＮ、４−１：ＬＡＮインタフェース部、４−２：パケットブリッジ制御部、４−３：パケットバッファ部、４−４：無線通信制御部、４−５：無線状態判定部、４−６：無線端末管理部、４−７：無線状態監視部、４−８：無線インタフェース部、５−１：無線インタフェース部、５−２：無線通信制御部、５−３：無線状態管理部、５−４：パケットバッファ部。
【図１】
2007288550.tif 000003
【図２】
2007288550.tif 000004
【図３】
2007288550.tif 000005
【図４】
2007288550.tif 000006
【図５】
2007288550.tif 000007
【図６】
2007288550.tif 000008
【図７】
2007288550.tif 000009
【図８】
2007288550.tif 000010
【図９】
2007288550.tif 000011